【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
色差フォーマットが４：２：０の輝度信号と色差信号とを含む画像信号をブロック単位でイントラ予測符号化するとともにイントラ予測モードに関する情報を符号化する画像符号化装置であって、
輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測部と、
色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測部と、
イントラ予測の評価値を導出して予測ブロック単位でイントラ予測モードを決定するイントラ予測モード判定部と、
前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成部と
を備えることを特徴とする画像符号化装置。
【請求項２】
色差フォーマットが４：２：０の輝度信号と色差信号とを含む画像信号をブロック単位でイントラ予測符号化するとともにイントラ予測モードに関する情報を符号化する画像符号化方法であって、
輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、
色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、
イントラ予測の評価値を導出して予測ブロック単位でイントラ予測モードを決定するイントラ予測モード判定ステップと、
前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップと
を有することを特徴とする画像符号化方法。
【請求項３】
色差フォーマットが４：２：０の輝度信号と色差信号とを含む画像信号をブロック単位でイントラ予測符号化するとともにイントラ予測モードに関する情報を符号化する画像符号化プログラムであって、
輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、
色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、
イントラ予測の評価値を導出して予測ブロック単位でイントラ予測モードを決定するイントラ予測モード判定ステップと、
前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップと
をコンピュータに実行させることを特徴とする画像符号化プログラム。
【請求項４】
色差フォーマットが４：２：０の輝度信号と色差信号とを含む画像信号をブロック単位でイントラ予測符号化するとともにイントラ予測モードに関する情報を符号化する画像符号化方法により符号化された符号化ストリームをパケット化して符号化データを得るパケット処理部と、
パケット化された前記符号化データを送信する送信部とを備え、
前記画像符号化方法は、
輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、
色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、
イントラ予測の評価値を導出して予測ブロック単位でイントラ予測モードを決定するイントラ予測モード判定ステップと、
前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップと
を有することを特徴とする送信装置。
【請求項５】
色差フォーマットが４：２：０の輝度信号と色差信号とを含む画像信号をブロック単位でイントラ予測符号化するとともにイントラ予測モードに関する情報を符号化する画像符号化方法により符号化された符号化ストリームをパケット化して符号化データを得るパケット処理ステップと、
パケット化された前記符号化データを送信する送信ステップとを備え、
前記画像符号化方法は、
輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、
色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、
イントラ予測の評価値を導出して予測ブロック単位でイントラ予測モードを決定するイントラ予測モード判定ステップと、
前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップと
を有することを特徴とする送信方法。
【請求項６】
色差フォーマットが４：２：０の輝度信号と色差信号とを含む画像信号をブロック単位でイントラ予測符号化するとともにイントラ予測モードに関する情報を符号化する画像符号化方法により符号化された符号化ストリームをパケット化して符号化データを得るパケット処理ステップと、
パケット化された前記符号化データを送信する送信ステップとをコンピュータに実行させ、
前記画像符号化方法は、
輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、
色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、
イントラ予測の評価値を導出して予測ブロック単位でイントラ予測モードを決定するイントラ予測モード判定ステップと、
前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップと
を有することを特徴とする送信プログラム。
【手続補正２】
【補正対象書類名】明細書
【補正対象項目名】発明の名称
【補正方法】変更
【補正の内容】
【発明の名称】画像符号化装置、画像符号化方法及び画像符号化プログラム、並びに送信装置、送信方法及び送信プログラム
【手続補正３】
【補正対象書類名】明細書
【補正対象項目名】００１６
【補正方法】変更
【補正の内容】
【００１６】
色差フォーマットが４：２：０の輝度信号と色差信号とを含む画像信号をブロック単位でイントラ予測符号化するとともにイントラ予測モードに関する情報を符号化する画像符号化装置であって、輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測部と、色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測部と、イントラ予測の評価値を導出して予測ブロック単位でイントラ予測モードを決定するイントラ予測モード判定部と、前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成部とを備えることを特徴とする画像符号化装置を提供する。
色差フォーマットが４：２：０の輝度信号と色差信号とを含む画像信号をブロック単位でイントラ予測符号化するとともにイントラ予測モードに関する情報を符号化する画像符号化方法であって、輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、イントラ予測の評価値を導出して予測ブロック単位でイントラ予測モードを決定するイントラ予測モード判定ステップと、前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップとを有することを特徴とする画像符号化方法を提供する。
色差フォーマットが４：２：０の輝度信号と色差信号とを含む画像信号をブロック単位でイントラ予測符号化するとともにイントラ予測モードに関する情報を符号化する画像符号化プログラムであって、輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、イントラ予測の評価値を導出して予測ブロック単位でイントラ予測モードを決定するイントラ予測モード判定ステップと、前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップとをコンピュータに実行させることを特徴とする画像符号化プログラムを提供する。
色差フォーマットが４：２：０の輝度信号と色差信号とを含む画像信号をブロック単位でイントラ予測符号化するとともにイントラ予測モードに関する情報を符号化する画像符号化方法により符号化された符号化ストリームをパケット化して符号化データを得るパケット処理部と、パケット化された前記符号化データを送信する送信部とを備え、前記画像符号化方法は、輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、イントラ予測の評価値を導出して予測ブロック単位でイントラ予測モードを決定するイントラ予測モード判定ステップと、前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップとを有することを特徴とする送信装置を提供する。
色差フォーマットが４：２：０の輝度信号と色差信号とを含む画像信号をブロック単位でイントラ予測符号化するとともにイントラ予測モードに関する情報を符号化する画像符号化方法により符号化された符号化ストリームをパケット化して符号化データを得るパケット処理ステップと、パケット化された前記符号化データを送信する送信ステップとを備え、前記画像符号化方法は、輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、イントラ予測の評価値を導出して予測ブロック単位でイントラ予測モードを決定するイントラ予測モード判定ステップと、前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップとを有することを特徴とする送信方法を提供する。
色差フォーマットが４：２：０の輝度信号と色差信号とを含む画像信号をブロック単位でイントラ予測符号化するとともにイントラ予測モードに関する情報を符号化する画像符号化方法により符号化された符号化ストリームをパケット化して符号化データを得るパケット処理ステップと、パケット化された前記符号化データを送信する送信ステップとをコンピュータに実行させ、前記画像符号化方法は、輝度信号の符号化ブロックを分割しない分割モードが設定された場合、前記輝度信号の符号化ブロックに等しい第１の輝度信号の予測ブロックを設定して、前記第１の輝度信号の予測ブロックについて第１のイントラ輝度予測モードに応じて、周囲の符号化済みの輝度信号のブロックから輝度信号を予測するとともに、前記輝度信号の符号化ブロックを水平および垂直に分割する分割モードが設定された場合、前記輝度信号の符号化ブロックを水平および垂直に分割した第２〜第５の輝度信号の予測ブロックを設定して、前記第２〜第５の輝度信号の予測ブロックのそれぞれのイントラ輝度予測モードに応じて、周囲の符号化済みの輝度信号のブロックから輝度信号を予測する輝度信号イントラ予測ステップと、色差信号の符号化ブロックを分割することなく色差信号の予測ブロックを設定して、前記色差信号の予測ブロックのイントラ色差予測モードに応じて、周囲の符号化済みの色差信号のブロックから色差信号を予測する色差信号イントラ予測ステップと、イントラ予測の評価値を導出して予測ブロック単位でイントラ予測モードを決定するイントラ予測モード判定ステップと、前記輝度信号の符号化ブロックを分割しない分割モードが設定された場合、前記第１の輝度信号の予測ブロックのイントラ輝度予測モードに関する情報を符号化し、続いて前記色差信号の予測ブロックのイントラ色差予測モードに関する情報を符号化するとともに、前記輝度信号の符号化ブロックを水平および垂直に分割する分割モードが設定された場合、前記輝度信号の符号化ブロック内の前記第２の輝度信号の予測ブロックのイントラ輝度予測モード、前記第３の輝度信号の予測ブロックのイントラ輝度予測モード、前記第４の輝度信号の予測ブロックのイントラ輝度予測モード、前記第５の輝度信号の予測ブロックのイントラ輝度予測モードに関する情報を符号化し、続いて、前記第２の輝度信号の予測ブロックと同一の基準位置にある前記色差信号の予測ブロックのイントラ色差予測モードに関する情報を符号化して、予測モードに関する情報を配列した符号化ビット列を生成する符号化ビット列生成ステップとを有することを特徴とする送信プログラムを提供する。